(57)【要約】      （修正有）【課題】泡立てた石鹸の泡を手に取りやすい泡立て具を提供する。【解決手段】袋状の石鹸収納部１１と、上記石鹸収納部の外方に設けられ、上記石鹸収納部を内包するスカート状の泡立て部１２とを備え、上記石鹸収納部は一端部に開口部１３を有し、上記泡立て部の一端部１４は上記開口部に接合されると共に他端部は開放された泡立て具であって、上記石鹸収納部の他端部にはつまみ部１６が設けられと共に上記泡立て部は他端部方向に向かって拡開するように形成されており、上記つまみ部を保持して、上記石鹸収納部を上記泡立て部内から引き出すと共に、上記開口部において上記泡立て部を表裏反転させることができる。【選択図】図１
0003153619.tif 000002
【実用新案登録請求の範囲】
【請求項１】
袋状の石鹸収納部と、上記石鹸収納部の外方に設けられ、上記石鹸収納部を内包するスカート状の泡立て部とを備え、上記石鹸収納部は一端部に開口部を有し、上記泡立て部の一端部は上記開口部に接合されると共に他端部は開放された泡立て具であって、
上記石鹸収納部の他端部にはつまみ部が設けられと共に上記泡立て部は他端部方向に向かって拡開するように形成されており、
上記つまみ部を保持して、上記石鹸収納部を上記泡立て部内から引き出すと共に、上記開口部において上記泡立て部を表裏反転させることができるように構成されていることを特徴とする泡立て具。
【請求項２】
上記開口部には、閉塞用紐が配設され、上記閉塞用紐を引くことにより開口部を閉塞することができることを特徴とする請求項１記載の泡立て具。
【請求項３】
上記石鹸収納部は、網状布材と、上記網状布材の外側に隣接して配置されたオーガンジー製の布材とからなると共に、上記泡立て部は、網状布材と、上記網状布材の表側及び裏側に配置されたオーガンジー製の布材とからなることを特徴とする請求項１記載の泡立て具。
【請求項４】
上記泡立て部の最大幅寸法は、上記石鹸収納部の最大幅寸法の２倍以上の大きさに形成されていることを特徴とする請求項１記載の泡立て具。
【考案の詳細な説明】
【技術分野】
【０００１】
本考案は、泡立て具に係り、特に、石鹸を内部に収納した状態で泡立てることができる泡立て具に関する。
【背景技術】
【０００２】
入浴時等に、石鹸を身体に塗る場合に、タオルを用いることなく、予め泡立てることができれば便利であり、また、洗顔時にも、予め容易に石鹸の泡を形成することができれば便利である。さらに、石鹸は一般的には石鹸箱に収納されて浴室に配置されており、洗顔時等にその都度、石鹸箱から取り出し、使用後、石鹸箱へ戻すのは煩雑であった。
【０００３】
このような観点から、従来から入浴時等に使用する泡立て具が提案されていた（特許文献１）。
このような従来の泡立て具にあっては、袋状の内側ネットと、上記内側ネットの外方に設けられた外側ネットとを備え、上記内側ネットの開口部において外側ネットの一端部が接合されると共に上記外側ネットの他端部は開放されて構成されている。
【０００４】
しかしながら、このような従来の泡立て具にあっては、外側ネットの他端部は固定されず開放されているが、外側ネットの幅寸法は内側ネットの幅寸法よりも僅かに大きい程度に形成され、外側ネットを内側ネットの開口部方向へ表裏反対に折り返すことは難しく、その結果、泡が付着している外側ネットから泡を手に取りにくい、という不具合が存していた。
【特許文献１】実用新案登録第３１０９９７６号
【考案の開示】
【考案が解決しようとする課題】
【０００５】
そこで、本考案の課題は、泡立てた石鹸の泡を手に取りやすい泡立て具を提供することにある。
【課題を解決するための手段】
【０００６】
上記課題を解決するために、請求項１の考案にあっては、袋状の石鹸収納部と、上記石鹸収納部の外方に設けられ、上記石鹸収納部を内包するスカート状の泡立て部とを備え、上記石鹸収納部は一端部に開口部を有し、上記泡立て部の一端部は上記開口部に接合されると共に他端部は開放された泡立て具であって、上記石鹸収納部の他端部にはつまみ部が設けられと共に上記泡立て部は他端部方向に向かって拡開するように形成されており、上記つまみ部を保持して、上記石鹸収納部を上記泡立て部内から引き出すと共に、上記開口部において上記泡立て部を表裏反転させることができるように構成されている。
【０００７】
従って、請求項１記載の考案にあっては、上記石鹸収納部内に固形石鹸を収納して、上記泡立て部を含めて使用者が手で揉むことにより石鹸を泡立て、その後、上記スカート状の泡立て部を手で他端部方向へしごくことにより泡を手に取ることができる。
【０００８】
さらに、上記つまみ部を保持して引っ張ると共に上記泡立て部を表裏反転させることにより、泡立て部を石鹸収納部から引き離し、石鹸収納部を手で保持して泡立て部のみを手で揉むことによりさらに泡立て、その後、泡立て部を手でしごくことにより泡を手に取ることができる。
【０００９】
請求項２記載の考案にあっては、上記開口部には、閉塞用紐が配設され、上記閉塞用紐を引くことにより開口部を閉塞することができることを特徴とする。
従って、請求項２記載の考案にあっては、石鹸収納部内から石鹸が飛び出さないように収納することができる。
【００１０】
請求項３記載の考案にあっては、上記石鹸収納部は、網状布材と、上記網状布材に外側に隣接して配置されたオーガンジー製の布材とからなると共に、上記泡立て部は、網状布材と、上記網状布材の表側及び裏側に配置されたオーガンジー製の布材とからなることを特徴とする。
【００１１】
請求項３記載の考案にあっては、石鹸収納部と泡立て部は、網状布材のみならず、オーガンジー製の布材とにより構成されており、網状布材により形成された泡が、さらにオーガンジー製の布材との間の空隙で増幅される。
請求項４記載の考案にあっては、上記泡立て部の最大幅寸法は、上記石鹸収納部の最大幅寸法の２倍以上の大きさに形成されていることを特徴とする。
【考案の効果】
【００１２】
請求項１記載の考案にあっては、上記つまみ部を保持して引っ張ると共に上記泡立て部を表裏反転させることにより、泡立て部を石鹸収納部から引き離し、石鹸収納部を手で保持して泡立て部のみを手で揉むことによりさらに泡立て、その後、泡立て部を手でしごくことにより泡を手に取ることができるように構成されていることから、形成された泡を手に取りやすい泡立て具を提供することができる。
【００１３】
請求項２記載の考案にあっては、石鹸収納部内に石鹸が飛び出さないように収納することができることから、扱いやすく、かつ泡を形成しやすい泡立て具を提供することができる。
【００１４】
請求項３記載の考案にあっては、石鹸収納部と泡立て部は、網状布材のみならず、網状布材及びオーガンジー製の布材により構成されていることから、網状布材により形成された泡が、さらにオーガンジー製の布材との間の空隙で増幅されるように構成されており、より泡立ちのよい泡立て具を提供することが可能となる。
【００１５】
また、オーガンジー製布材は、網状布材よりも密な状態に織られており、網状布材により生成された泡を逃がすことなく取り込んでおくことができる。
請求項４記載の考案にあっては、上記泡立て部の最大幅寸法は、上記石鹸収納部の最大幅寸法の２倍以上の大きさに形成されていることから、必要時には、泡立て部の他端部を石鹸収納部方向へめくり、容易に表裏反転させることが可能となり、使いやすい泡立て具を提供することができる。
【図面の簡単な説明】
【００１６】
【図１】本考案に係る泡立て具の一実施の形態を示す斜視図である。
【図２】本考案に係る泡立て具の一実施の形態を示し、表裏を反転させた状態を示す斜視図である。
【図３】本考案に係る泡立て具の一実施の形態を示す、図１の３―３線断面図である。
【図４】本考案に係る泡立て具の一実施の形態を示し、石鹸収納部を泡立て部内から抜き出し、全体を表裏反転させた状態を示す図である。
【考案を実施するための最良の形態】
【００１７】
以下、添付図面に示す実施の形態に基づき、本考案を詳細に説明する。
図１に示すように、本実施の形態に係る泡立て具１０にあっては、袋状の石鹸収納部１１と、上記石鹸収納部１１の外方に設けられ、上記石鹸収納部１０を内包するスカート状の泡立て部１２とを備えている。
【００１８】
上記石鹸収納部１１は一端部に開口部１３を有し、上記泡立て部１２の一端部１４は上記開口部１３に接合されると共に他端部１５は開放され、開口部２２が形成されている。
上記石鹸収納部１１の他端部にはつまみ部１６が設けられており、上記泡立て部１２は他端部１５方向に向かって拡開するように形成されている。
本実施の形態にあっては、上記つまみ部１６は、上記石鹸収納部１１の他端部に固定され、リング状の紐により形成されている。
【００１９】
図４に示すように、本実施の形態に係る泡立て具１０にあっては、上記つまみ部１６を保持して、上記石鹸収納部１１を上記泡立て部１２の他端部１５を介して泡立て部１２内から引き出すと共に、上記泡立て部１２を表裏反転させることができるように構成されている。
【００２０】
図１に示すように、上記開口部１３の周縁部には、周縁部方向に沿ってトンネル状部２０が縫合形成されており、上記トンネル状部２０内に閉塞用紐１７が開口部１３の周縁方向に沿って配設されている。
上記トンネル状部２０内には、つまみ２１及びつまみ２１の下方に配設された固定用チューブ２３を有する閉塞用紐１７が配設され、上記つまみ２０及び固定用チューブ２３は上記開口部１３が開放されている場合には、トンネル状部２０の外方に配置されている。
図３に示すように、上記開口部１３を閉じる場合には、上記閉塞用紐１７をトンネル状部２０から引き出して上記トンネル状部２０を収縮させ、さらに、上記固定用チューブ２３により閉塞用紐１７を引っ張りだした状態で固定することにより開口部１３を閉塞した状態を維持することができるように形成されている。
【００２１】
図２に示すように、上記石鹸収納部１１は、２枚の網状布材１８，１８の外側に隣接して配置されたオーガンジー製の布材１９とからなると共に、上記泡立て部１２は、他端部１５において折り返されて２枚構成となっている網状布材１８と、上記網状布材１８，１８の表側及び裏側に配置され、他端部１５において折り返されて２枚構成となっている一対のオーガンジー製の布材１９，１９とからなる。
また、図２に示すように、上記泡立て部１２の下端部は、幅方向の互いに対向する部位２４，２４は、上記網状布材１８及びオーガンジー製布材１９，１９が、短い幅寸法に亘って互いに縫合されている。
【００２２】
また、上記泡立て部１２の最大幅寸法、即ち、他端部１５の幅寸法は、上記石鹸収納部１１の最大幅寸法、即ち、開口部１３の幅寸法の２倍以上の大きさに形成されており、さらに、本実施の形態にあっては、泡立て部１２の長さ寸法は、上記石鹸収納部１１の約３倍の長さ寸法に形成されている。
【００２３】
以下、本実施の形態に係る泡立て具１０の作用について説明する。
本実施の形態に係る泡立て具１０を使用する場合にはまず、上記石鹸収納部１１内に固形石鹸２５を収納した後、図３に示すように、閉塞用紐１７をつまみ２１を介して引っ張り、上記固定用チューブ２３により閉塞用紐１７を固定して開口部１３を閉塞する。
【００２４】
この状態で、石鹸収納部１１又は泡立て具１０全体を水で濡らし、片手で石鹸収納部１１相当部をつかみ、他方の手で泡立て部１２を持ち、石鹸収納部１１を泡立て部１２に押し付けるようにして、全体を揉み洗いする要領で泡立てる。
泡立て部１２に泡が形成された場合には、片手で石鹸収納部１１を把持したまま他方の手で上記泡立て部１２を他端部１５方向へしごき、泡を手に取りだすことができる。
【００２５】
この場合、上記閉塞用紐１７は、その一部が上記トンネル状部２０内から外部へ露出していることから、上記閉塞用紐１７を利用して壁の適宜の突起部等に掛けておくことができる。
また、以下のような使用方法も可能である。即ち、上記閉塞用紐１７により開口部１３を閉塞した状態で、上記泡立て部１２の開口部２２から泡立て部１２内へ手を入れ、上記つまみ部１６を持ち、他端部１５を介して石鹸収納部１１を泡立て部１２内から、図４に示すように、泡立て部１２を表裏反転させた状態で抜き出す。
【００２６】
そして、上記石鹸収納部１１を片手で持ちながら、他方の手で泡立て部１２を他端部１５方向へ向かってしごきながら手に泡を取りだすことができる。
さらに、例えば、洗顔で２度洗いを行う場合には、まず、図３に示すように、上記のように裏返さない状態で泡立て部１２において泡を取り、その後、上記つまみ２１において閉塞用紐１７を利用して壁等の係止部に引っ掛けた状態で一度目の洗顔を行う。
【００２７】
その後、上記の要領で、上記泡立て部１２の他端部１５から泡立て部１２内へ手を入れ、上記つまみ部１６を持ち、他端部１５を介して石鹸収納部１１を泡立て部１２内から、図４に示すように、泡立て部１２を表裏反転させた状態で抜き出す。
そして、片手で石鹸収納部１１相当部をつかみ、他方の手で泡立て部１２を持ち、泡立て部１２の裏面側に残った泡を利用して再度泡立て、片手で石鹸収納部１１を把持したまま他方の手で上記泡立て部１２を他端部１５方向へしごき、泡を手に取り、洗顔等を行うことができる。
本実施の形態にあっては、上記泡立て部１２の最大幅寸法、即ち他端部１５における幅寸法は、上記石鹸収納部１１の最大幅寸法、即ち開口部１３の２倍以上の大きさに形成されていることから、開口部１５からつまみ部１６を引き出し、表裏反転させる場合に石鹸収納部１１を泡立て部１２内から抜き出しやすい。
【００２８】
また、泡立て部１１の長さ寸法は、上記石鹸収納部１１の約３倍の長さ寸法に形成されていることから、泡立て部１１は大きな表面積に形成されており、大きな量の泡を形成することができる。
【００２９】
なお、本実施の形態にあっては、上記石鹸収納部１１は、網状布材１８と、上記網状布材１８の外側に隣接して配置されたオーガンジー製の布材１９とからなると共に、上記泡立て部１１は、網状布材１８と、上記網状布材１８の表側及び裏側に配置されたオーガンジー製布材１９とからなることから、単に、網状布材を使用した場合とは異なり、網状布材１８のみならず、網状布材１８とオーガンジー製の布材１９との間の空隙において泡が生成されることから、より泡立ちのよい泡立て具を提供することができる。
また、上記泡立て部１２の下端部は、幅方向の互いに対向する部位２４，２４は、上記網状布材１８及びオーガンジー製布材１９，１９が、短い幅寸法に亘って互いに縫合されていることから、オーガンジー製布材１９，１９と網状布材１８との間の空隙が確実に形成され、良好な泡立ちを確保することができる。
【００３０】
なお、石鹸収納部及び泡立て部の素材及び具体的構成は上記実施の形態に限定されない。
【産業上の利用可能性】
【００３１】
本考案は、広く、風呂等において使用される泡立て具に適用可能である。
【符号の説明】
【００３２】
１０  泡立て具
１１  石鹸収納部
１２  泡立て部
１３  開口部
１４  一端部
１５  他端部
１６  つまみ部
１７  閉塞用紐
１８  網状布材
１９  オーガンジー製布材
２０  トンネル状部
２１  つまみ
２２  開口部
２３  固定用チューブ
２４  対向する部位
２５  石鹸
【図１】
0003153619.tif 000003
【図２】
0003153619.tif 000004
【図３】
0003153619.tif 000005
【図４】
0003153619.tif 000006
【手続補正書】
【提出日】平成21年7月7日(2009.7.7)
【手続補正１】
【補正対象書類名】明細書
【補正対象項目名】００２０
【補正方法】変更
【補正の内容】
【００２０】
図１に示すように、上記開口部１３の周縁部には、周縁部方向に沿ってトンネル状部２０が縫合形成されており、上記トンネル状部２０内に閉塞用紐１７が開口部１３の周縁方向に沿って配設されている。
上記トンネル状部２０内には、つまみ２１及びつまみ２１の下方に配設された固定用チューブ２３を有する閉塞用紐１７が配設され、上記つまみ２１及び固定用チューブ２３は上記開口部１３が開放されている場合には、トンネル状部２０の外方に配置されている。
上記開口部１３を閉じる場合には、図３に示すように、上記閉塞用紐１７をトンネル状部２０から引き出して上記トンネル状部２０を収縮させ、さらに、上記固定用チューブ２３により閉塞用紐１７を引っ張りだした状態で固定することにより開口部１３を閉塞した状態を維持することができるように形成されている。
【手続補正２】
【補正対象書類名】図面
【補正対象項目名】図２
【補正方法】変更
【補正の内容】
【図２】
0003153619.tif 000007